(57)【特許請求の範囲】
【請求項１】
複数の機種の遊技機を管理する遊技場用管理システムであって、
対応する遊技機で遊技を行うための対価として複数種類の貨幣を受付可能な受付手段と、
前記受付手段が受け付けた貨幣である受付貨幣の種別を検知する貨幣検知手段と、
前記受付貨幣の種別に応じた数量の遊技媒体を貸し出すことが可能な貸出手段と、
前記貨幣検知手段が検知した前記受付貨幣の種別を表す貨幣種別情報を、対応する遊技機の機種を特定可能な機種情報と関連付けて出力する種別情報出力手段と、を有し、前記遊技機毎に対応してそれぞれ設けられる貸出装置、及び
前記種別情報出力手段が出力した前記貨幣種別情報及び前記機種情報を受信する受信手段と、
前記受信手段が受信した前記貨幣種別情報及び前記機種情報に基づいて、前記受付貨幣の種別毎の受付数を機種毎に集計する貨幣集計手段と、
前記貨幣集計手段による集計データを出力する集計データ出力手段と、を有する管理装置を備え、
前記貨幣集計手段は、当日の営業開始後、それぞれの前記貸出装置が最初に受け付けた前記受付貨幣のみを集計対象として、前記受付貨幣の種別毎の受付数を機種毎に集計する第１の集計を実行することを特徴とする遊技場用管理システム。
【請求項２】
複数の機種の遊技機を管理する遊技場用管理システムであって、
対応する遊技機で遊技を行うための対価として複数種類の貨幣を受付可能な受付手段と、
前記受付手段が受け付けた貨幣である受付貨幣の種別を検知する貨幣検知手段と、
前記受付貨幣の種別に応じた数量の遊技媒体を貸し出すことが可能な貸出手段と、
前記貨幣検知手段が検知した前記受付貨幣の種別を表す貨幣種別情報を、対応する遊技機の機種を特定可能な機種情報と関連付けて出力する種別情報出力手段と、を有し、前記遊技機に対応して設けられる貸出装置、及び
前記種別情報出力手段が出力した前記貨幣種別情報及び前記機種情報を受信する受信手段と、
前記受信手段が受信した前記貨幣種別情報及び前記機種情報に基づいて、前記受付貨幣の種別毎の受付数を機種毎に集計する貨幣集計手段と、
前記貨幣集計手段による集計データを出力する集計データ出力手段と、を有する管理装置と、
遊技者の生体情報、あるいは遊技者が所持する識別媒体に記録された識別情報よりなる遊技者情報を取得する遊技者情報取得手段と、
前記遊技者情報取得手段が取得した前記遊技者情報に基づいて、何れかの遊技者によって当日、最初に投入された前記受付貨幣であるか否かを判別する判別手段と、を備え、
前記貨幣集計手段は、前記判別手段により何れかの遊技者により当日最初に投入されたと判別された前記受付貨幣のみを集計対象として、前記受付貨幣の種別毎の受付数を機種毎に集計する第２の集計を実行することを特徴とする遊技場用管理システム。
【発明の詳細な説明】
【技術分野】
【０００１】
本発明は、遊技場に設置された遊技機を管理するための遊技場用管理システムに関する。
【背景技術】
【０００２】
従来より、遊技場に設置された遊技機等を管理するための遊技場用管理システムが知られている。一般に、顧客である遊技者の要望に幅広く対応できるように、遊技場には複数種類の機種の遊技機が設置されている。このような遊技場を効率良く経営するためには、遊技機の人気や射倖性等を機種毎に的確に把握する必要がある。
【０００３】
このような遊技場側のニーズに対応すべく、遊技機の機種毎に売上金額を集計可能な遊技場用管理システムが提案されている（例えば、特許文献１参照。）。この遊技場用管理システムを遊技場に導入すれば、売上金額に基づいて遊技機の機種毎の集客力を把握できるようになる。
【０００４】
しかしながら、前記従来の遊技場用管理システムでは、次のような問題がある。すなわち、遊技機の機種毎に集計された売上金額を利用すれば機種毎の集客力を把握できる一方、遊技者が期待する出玉の程度を十分に把握できないため、遊技機の機種の特性を十分に把握できないおそれがある。
【先行技術文献】
【特許文献】
【０００５】
【特許文献１】特開２００５−２２４４２４号公報
【発明の概要】
【発明が解決しようとする課題】
【０００６】
本発明は、前記従来の問題点に鑑みてなされたものであり、遊技者が期待する出玉の程度を機種毎に把握することができる遊技場用管理システムを提供しようとするものである。
【課題を解決するための手段】
【０００７】
本発明の第１の態様は、複数の機種の遊技機を管理する遊技場用管理システムであって、
対応する遊技機で遊技を行うための対価として複数種類の貨幣を受付可能な受付手段と、
前記受付手段が受け付けた貨幣である受付貨幣の種別を検知する貨幣検知手段と、
前記受付貨幣の種別に応じた数量の遊技媒体を貸し出すことが可能な貸出手段と、
前記貨幣検知手段が検知した前記受付貨幣の種別を表す貨幣種別情報を、対応する遊技機の機種を特定可能な機種情報と関連付けて出力する種別情報出力手段と、を有し、前記遊技機毎に対応してそれぞれ設けられる貸出装置、及び
前記種別情報出力手段が出力した前記貨幣種別情報及び前記機種情報を受信する受信手段と、
前記受信手段が受信した前記貨幣種別情報及び前記機種情報に基づいて、前記受付貨幣の種別毎の受付数を機種毎に集計する貨幣集計手段と、
前記貨幣集計手段による集計データを出力する集計データ出力手段と、を有する管理装置を備え、
前記貨幣集計手段は、当日の営業開始後、それぞれの前記貸出装置が最初に受け付けた前記受付貨幣のみを集計対象として、前記受付貨幣の種別毎の受付数を機種毎に集計する第１の集計を実行することを特徴とする遊技場用管理システムにある（請求項１）。
本発明の第２の態様は、複数の機種の遊技機を管理する遊技場用管理システムであって、
対応する遊技機で遊技を行うための対価として複数種類の貨幣を受付可能な受付手段と、
前記受付手段が受け付けた貨幣である受付貨幣の種別を検知する貨幣検知手段と、
前記受付貨幣の種別に応じた数量の遊技媒体を貸し出すことが可能な貸出手段と、
前記貨幣検知手段が検知した前記受付貨幣の種別を表す貨幣種別情報を、対応する遊技機の機種を特定可能な機種情報と関連付けて出力する種別情報出力手段と、を有し、前記遊技機に対応して設けられる貸出装置、及び
前記種別情報出力手段が出力した前記貨幣種別情報及び前記機種情報を受信する受信手段と、
前記受信手段が受信した前記貨幣種別情報及び前記機種情報に基づいて、前記受付貨幣の種別毎の受付数を機種毎に集計する貨幣集計手段と、
前記貨幣集計手段による集計データを出力する集計データ出力手段と、を有する管理装置と、
遊技者の生体情報、あるいは遊技者が所持する識別媒体に記録された識別情報よりなる遊技者情報を取得する遊技者情報取得手段と、
前記遊技者情報取得手段が取得した前記遊技者情報に基づいて、何れかの遊技者によって当日、最初に投入された前記受付貨幣であるか否かを判別する判別手段と、を備え、
前記貨幣集計手段は、前記判別手段により何れかの遊技者により当日最初に投入されたと判別された前記受付貨幣のみを集計対象として、前記受付貨幣の種別毎の受付数を機種毎に集計する第２の集計を実行することを特徴とする遊技場用管理システムにある（請求項２）。
【０００８】
本発明の遊技場用管理システムにおいて遊技機毎に設けられた貸出装置は、前記受付貨幣の種別を検知して前記貨幣種別情報を出力可能である。この貨幣種別情報には、対応する遊技機の機種を特定可能な前記機種情報が関連付けされている。
【０００９】
一方、前記遊技場用管理システムにおける管理装置は、前記貨幣種別情報に基づいて、前記受付貨幣の種別毎に受付数を集計可能である。特に、本発明の遊技場用管理システムでは、前記貨幣種別情報に関連付けされた前記機種情報を利用することで、前記受付貨幣の種別毎の受付数を遊技機の機種毎に分類して集計可能である。
【００１０】
長年に渡る出願人の業務を通じて発明者が獲得するに到った知見によれば、遊技に当たって遊技者が前記貸出装置に投入する貨幣の種別は、遊技者が期待する出玉の程度を強く反映したものとなっている。一万円札など高額の貨幣の割合が高い機種ほど、遊技者が期待する出玉が多く、千円札や５００円玉など低額の貨幣の割合が高い機種ほど、遊技者が期待する出玉が少ないという傾向にある。
【００１１】
本発明の遊技場用管理システムによれば、前記受付貨幣の種別毎の受付数を機種毎に集計することにより、出玉に対する遊技者の期待感を機種毎に把握できる。遊技者の期待感を精度高く推測できれば、釘調整や設定などの出玉調整や、増台や減台などを的確に実施でき、高効率な遊技場経営を実現できる。
【００１２】
本発明においては、前記受付貨幣の種別に応じて異なる信号を前記貨幣種別情報として出力しても良いし、例えば、千円札では１回、五千円札では５回、一万円札では１０回というように、金額に応じて出力回数が異なる信号を前記貨幣種別情報として出力しても良い。
また、前記貨幣種別情報に関連付ける前記機種情報としては、例えば、型番など機種を表す機種データが考えられる。また、例えば、１番台〜１５番台までが機種Ａ、１６番台〜４０番台までが機種Ｂ・・・というように、遊技場内の台番号と機種との関係が前記管理装置側で把握できている場合には、前記機種情報として台番号を関連付けることもできる。
【００１３】
また、前記貸出装置としては、遊技機と一体化されたものであっても良く、さらに、前記受付手段が遊技機とは別体の装置に組み込まれている一方、前記貸出手段が遊技機に組み込まれているというように、物理的には分離されているが、制御線等の信号線を介して電気的に接続されて一体とみなされる装置であっても良い。
また、前記貸出装置としては、遊技機毎にそれぞれ設置しても良く、遊技機の機種毎に設けることも良い。
【００１４】
前記第１の態様における貸出装置は、前記遊技機毎にそれぞれ設けられており、
前記貨幣集計手段は、当日の営業開始後、それぞれの前記貸出装置が最初に受け付けた前記受付貨幣のみを集計対象として、前記受付貨幣の種別毎の受付数を機種毎に集計する第１の集計を実行する。
【００１５】
本発明における集計データの信頼度は、千円札など低額の貨幣、及び一万円札などの高額の貨幣を両方とも所持している遊技者が多いほど信頼度が高まると推測できる。しかし、遊技者が一旦、遊技を開始すると、切が良くなるまで遊技を継続し、その後、他の遊技機への移動など次の遊技行動をとる傾向がある。例えば、低額の貨幣で遊技を開始した遊技者であれば、その分がなくなるまで、高額の貨幣で遊技を開始した遊技者であれば、その高額の貨幣を使い切るまで遊技をしてから他の遊技機へ移動する傾向にある。そのため、当日、初めて遊技を行う遊技者か否かによって、集計データの信頼性が大きく変動することになる。上記のごとく、当日の営業開始後、それぞれの貸出装置に最初に投入された前記受付貨幣のみを集計対象とした前記第１の集計は、遊技者の出玉に対する期待感を一層精度高く反映したものとなると期待できる。
【００１６】
前記第２の態様の遊技場用管理システムは、遊技者の生体情報、あるいは遊技者が所持する識別媒体に記録された識別情報よりなる遊技者情報を取得する遊技者情報取得手段と、
前記遊技者情報取得手段が取得した前記遊技者情報に基づいて、何れかの遊技者によって当日、最初に投入された前記受付貨幣であるか否かを判別する判別手段と、を備え、
前記貨幣集計手段は、前記判別手段により何れかの遊技者により当日最初に投入されたと判別された前記受付貨幣のみを集計対象として、前記受付貨幣の種別毎の受付数を機種毎に集計する第２の集計を実行する。
【００１７】
この場合には、遊技場に来場して初めて遊技を開始する遊技者が最初に投入した前記受付貨幣のみを集計対象として前記第２の集計を実行することで、遊技者の出玉に対する期待感をより一層精度高く推測できるようになる。
【発明の効果】
【００１８】
本発明の遊技場用管理システムは、遊技者がどの程度の出玉を期待して遊技を行っているのかを遊技機の機種毎に把握できる非常に有用な管理システムである。
【図面の簡単な説明】
【００１９】
【図１】実施例１における、遊技場用管理システムのシステム構成を示すブロック図。
【図２】実施例１における、遊技機と貸出装置との組合せを示す正面図。
【図３】実施例１における、金種データ作成処理の流れを示すフロー図。
【図４】実施例１における、金種データを説明するための説明図。
【発明を実施するための形態】
【００２０】
本発明の実施の形態につき、以下の実施例を用いて具体的に説明する。
（実施例１）
本例は、貸出装置３による受付貨幣の種別（以下、金種という。）を、遊技機の機種毎に集計可能な遊技場用管理システム１に関する例である。この内容について、図１〜図４を用いて説明する。
【００２１】
本例の遊技場用管理システム１（以下、管理システム１という。）は、図１に示すごとく、遊技場に設置された遊技機２、遊技機２毎の貸出装置３、及び管理装置１０等を含むシステムである。管理システム１では、図１に示すごとく、遊技機２や玉回収装置（図示略）や貸出装置３等が接続された中継器４、計数機５及び管理装置１０が通信ネットワーク４０に接続されている。本例では、通信ネットワーク４０としてＣＡＮ（Controller Area Network）を採用している。通信ネットワーク４０としては、本例のＣＡＮに代えて、ＭＯＳＴやイーサネット（Ｒ）など、様々なＬＡＮ規格等によるネットワークを採用可能である。
【００２２】
遊技機２は、図１及び図２に示すごとく、いわゆるセブン機と呼ばれるパチンコ機である。遊技機２は、始動ロ２１への入賞に応じて大当たり抽選を行い、表示部２５に表示される抽選結果に応じて大当たり状態を発生させる。なお、遊技機２は、スロットマシンであっても良い。
【００２３】
貸出装置３は、図１及び図２に示すごとく、遊技に使用するための貸玉を払い出す装置である。貸出装置３は、各遊技機２に個別に対応するよう、隣り合う他の遊技機２との台間スペースに設置されている。貸出装置３は、遊技機２の上皿２２に貸玉を供給する払出ノズル３２を中間にして、貨幣を受け付ける貨幣受付部３１が上側に設けられ、会員カード等を取り扱うカード受付部３３が下側に設けられている。
【００２４】
貨幣受付部３１には、貨幣を投入する貨幣投入口３１０と、貸玉可能な度数を表示するクレジット表示部３１１と、が配置されている。本例の貸出装置３では、千円札、二千円札、五千円札、一万円札を貨幣投入口３１０に投入可能である。クレジット表示部３１１は、貸玉可能な度数として、クレジットされた金額を１００円単位で表示する。
【００２５】
カード受付部３３には、残り金額が記録されたＩＣカードを挿入等するＩＣカードスリット３３１と、遊技場の会員カード（図示略）を挿入する会員カードスリット３３５と、が上下２段に配置されている。ＩＣカードスリット３３１の下には、ＩＣカード返却ボタン３３２、及びＩＣカード発行ボタン３３３が設けられている。会員カードスリット３３５の下側には、会員カード返却ボタン３３６が設けられている。例えば、会員カードスリット３３５から挿入された会員カードは、遊技者情報取得手段としての図示しないカードリーダに送り込まれ、記録された会員ＩＤ等の識別情報が読み取られる。
【００２６】
例えば、貨幣投入口３１０に五千円札が投入されると、まず、クレジット表示部３１１に５０度数が表示され、直ちに１０度数に相当する２５０個の貸玉が自動的に払い出される。これにより、クレジット表示部３１１の表示が、貸玉分を差し引いた４０度数となる。クレジットが残っている状態でＩＣカード発行ボタン３３３が押下された場合には、残り金額が記録されたＩＣカードが発行される。このＩＣカードは、ＩＣカードスリット３３１への挿入に応じて残り金額を使用できるほか、図示しない精算機にて換金可能である。
【００２７】
貸出装置３の内部には、受付貨幣の金種を検知する貨幣検知手段である貨幣検知部３６１と、所定数の貸玉の貸出手段としての貸出部３６２と、種別情報出力手段の機能を含む信号出力部３６３と、が設けられている。
【００２８】
貨幣検知部３６１は、貨幣投入口３１０からの貨幣の投入を検知すると共に、受付貨幣の金種を検知する。
貸出部３６２は、受付貨幣の価値の全部又は一部を対価とした貸玉を払出ノズル３２を介して遊技機２側に供給する。
信号出力部３６３は、会員カードから読み取った会員ＩＤ、受付貨幣の金種を表す貨幣種別情報、所定数の貸玉に応じた売上信号を出力する。本例の信号出力部３６３は、１０００円当たり１回の貨幣受付信号を出力することで貨幣種別情報を出力する。
【００２９】
例えば、会員カードが会員カードスリット３３５に挿入されると、会員ＩＤが出力される。管理装置１０側では、対応する遊技機２が、その会員ＩＤにより特定される遊技者が遊技する特定遊技機として取り扱われる。一方、会員カードを未受付の遊技機２については、遊技者不定の不定遊技機として取り扱われる。
【００３０】
特定遊技機に対応する貸出装置３に五千円札が投入されると、貨幣種別情報として貨幣受付信号が５回に渡って連続的に出力される。管理装置１０側では、上記の会員ＩＤの遊技者に係る貨幣種別情報が受信されたと判断される。また、１０度数に相当する２５０個の貸玉の払出時には、２５玉毎の売上信号が１０回出力される。
【００３１】
中継器４は、図１に示すごとく、遊技機２、図示しない玉回収装置及び貸出装置３に接続され、貸出装置３を含む遊技機２側と管理装置１０との間の中継処理（情報の送受信）を実行する装置である。中継器４は、各遊技機２及び貸出装置３が出力する遊技信号に遊技機ＩＤである台番を関連付けて通信ネットワーク４０に送出すると共に、該当する台番が関連付けされた通信情報を通信ネットワーク４０から取り込む。
【００３２】
中継器４は、使用玉１０玉毎のアウト信号や、払出玉１０玉毎のセーフ信号や、大当たりを表す大当たり信号など遊技機２が出力する各種の遊技信号のほか、貸出装置３が出力する以下の信号等を通信ネットワーク４０に向けて送出する。
１）貨幣受付信号（貨幣種別情報）：受付貨幣の金額１０００円毎に１パルス。
２）売上信号：貸出玉２５玉（１００円分）毎に１パルス。
３）会員ＩＤ：会員カードから読み取ったＩＤデータ。
【００３３】
管理装置１０は、図１に示すごとく、液晶ディスプレイ１５０や図示しないプリンタ等を含む出力部１５と、各種の演算処理を実行する装置本体１００と、キーボード１６０及び図示しないマウスを含む入力部１６とを備えている。装置本体１００は、演算処理を実行するＣＰＵを含む制御部１１のほか、ハードディスクドライブ（ＨＤＤ）、ＲＯＭ、ＲＡＭ等を含む記憶部１２、及び各種信号あるいは情報の入出力経路をなす通信ポート（図示略）を含む送受信部１３（Ｉ／Ｏ）を備えている。本例の管理装置１０は、送受信部１３を介して通信ネットワーク４０に接続され、送受信部１３を介して各遊技機２側から出力される各種の遊技信号を受信する。
【００３４】
送受信部１３は、貸出装置３の出力信号等を受信する受信手段１３１としての機能を備えている。受信手段１３１の受信信号等としては、貨幣受付信号や売上信号や会員ＩＤ等がある。上記のごとく、ある遊技機２の台番が関連付けられた会員ＩＤが受信されたとき、その遊技機２は、遊技者を特定可能な特定遊技機として取り扱われる。その後、その特定遊技機の台番が関連付けられた貨幣受付信号が受信された場合には、その貨幣受付信号が特定遊技機の遊技者によるものと判断される。管理装置１０側では、遊技者を特定可能な特定遊技機から貨幣受付信号を受信したとき、営業日当日の来場データにその遊技者の会員ＩＤを随時、登録する。但し、その会員ＩＤが来場データに既に登録されている場合には、再度の登録は行われない。
【００３５】
出力部１５は、受付貨幣の金種毎の集計データである金種データを出力する集計データ出力手段１５１としての機能を備えている。集計データ出力手段１５１は、図４を参照して後述するごとく、液晶ディスプレイ１５０の表示画面上に金種データを表示する。なお、プリンタによる印字出力により金種データを出力することもできる。
【００３６】
記憶部１２を構成するＲＯＭには、遊技場における遊技機２の台番に対して、遊技機の機種を関連付けた設置データが記憶されている。この設置データに台番を照合すれば、該当する遊技機の機種を特定可能である。
【００３７】
記憶部１２を構成するＨＤＤには、大当たり回数等の遊技機毎の遊技データや、売上金額や貨幣の投入履歴等の遊技機毎の売上データが記録されているほか、遊技場の会員のうち、当日何れかの貸出装置３に貨幣を投入して遊技を行った会員のリストである前記来場データが記録されている。さらに、本例の管理装置１０では、受付貨幣の金種毎の受付数を機種毎に集計した金種データが記録されている。
【００３８】
制御部１１は、図１に示すごとく、遊技者毎に最初の貨幣投入か否かを判別する判別手段１１１、及び貸出装置３による受付貨幣の金種を集計する貨幣集計手段１１２としての機能を備えている。
判別手段１１１は、受付貨幣が当日の最初の投入か２回目以降の投入かを遊技者毎に判別する手段である。判別手段１１１は、何れかの貸出装置３から会員ＩＤが受信されたとき、その会員ＩＤを前記来場データと照合し、既登録か未登録かを判断する。未登録の場合には、その後、会員カードが抜き取られるまでの期間内にその貸出装置３に最初に投入された受付貨幣を、その遊技者により当日、最初に投入された貨幣と判別する。
【００３９】
貨幣集計手段１１２は、受付貨幣の金種を集計する集計機能のほかに、貨幣受付信号に関する２種類の選別機能、金種判定機能、及び貨幣受付信号に対応する遊技機２の機種の特定機能を備えている。
【００４０】
（１）初投入の選別機能
初投入の集計対象の貨幣受付信号であるか否かを選別する機能である。この選別機能では、まず、対応する遊技機２についてＨＤＤに格納された当日の売上データが参照される。その遊技機２について当日の売上データが既計上である場合、その貨幣受付信号は初投入の集計対象から除外される。一方、未計上の場合には、対応する貸出装置３が当日一番に出力した貨幣受付信号であると判断されて初投入の集計対象として選択される。さらに、本例では、他の遊技機２から移動してきた遊技者による台移動分の貨幣受付信号を排除するため、さらに、貨幣受付信号の受信時刻に制限を設けている。本例では、営業開始時間である９時から９時３０分までに受信された貨幣受付信号のみが、図４を参照して後述する金種データ中の「初投入」の集計対象となっている。
【００４１】
（２）初遊技の選別機能
初遊技の集計対象の貨幣受付信号であるか否かを選別する機能である。本例では、上記の初投入の選別機能によって除外された貨幣受付信号を選別対象として、初遊技の集計対象であるか否かが選別される。本例では、前記判別手段１１１が何れかの遊技者によって当日、最初に投入された貨幣と判別した受付貨幣に係る貨幣受付信号を、初遊技の集計対象として選択している。
【００４２】
（３）金種判定機能
受付貨幣の金種を判定する機能である。貸出装置３から連続的に出力されてくる貨幣受付信号の受信回数を計数することにより、受付貨幣の金種を判定する。例えば、この受信回数が１０回であれば、一万円札が受付貨幣と判定される。本例では、この機能を実現するために、受付カウンタと受付タイマとを設けてある。受付カウンタは、初期値ゼロで、貨幣受付信号を受信する毎に１回ずつ加算される計数カウンタである。受付タイマは、連続する貨幣受付信号が１回の貨幣投入によるものか否かの判断基準となる所定の受信インターバル時間を計測する時間タイマである。
【００４３】
（４）機種特定機能
貨幣受付信号に対応する遊技機２の機種を特定する機能である。貨幣受付信号に関連付けされた台番を前記設置データと照合することにより機種が特定される。
【００４４】
（５）集計機能
受付貨幣の金種毎の受付数を機種毎に集計する機能である。この集計機能による集計対象の貨幣受付信号は、（１）初投入の選別機能により選択された貨幣受付信号（第１の集計）、及び（２）初遊技の選別機能により選択された貨幣受付信号（第２の集計）である。そして、（３）金種判定機能、及び（４）機種特定機能による判断結果を利用して、受付貨幣の金種毎の受付数が機種毎に集計される。
【００４５】
以上のように構成された管理装置１０による金種データ作成処理の流れについて、図３のフロー図を用いて説明する。
金種データ作成処理では、まず、貨幣種別情報をなす貨幣受付信号の受信が判断される（Ｓ１０１）。貨幣受付信号が受信された場合には（Ｓ１０１：ＹＥＳ）、初期値ゼロの受付カウンタが１回加算されると共に（Ｓ１０２）、前記受信インターバル時間を初期値として受付タイマによる減算計時が開始される（Ｓ１０３）。受付タイマによる計時タイムがゼロになってタイムアップとなるまで（Ｓ１０６：ＮＯ）、貨幣受付信号を受信する毎に（Ｓ１０４：ＹＥＳ）、受付カウンタが１回ずつ加算される（Ｓ１０５）。例えば、受付貨幣が五千円札であった場合、受付カウンタの計数値が５回となる。
【００４６】
一連の貨幣受付信号が初投入の集計対象と判断されると共に（Ｓ１０７：ＹＥＳ）、その受信時刻が９時から９時３０分であった場合には（Ｓ１０８：ＹＥＳ）、図４を参照して後述する金種データ中の「初投入」の集計対象となり、そのときの受付カウンタの計数値に当たる金種の受付数が１回加算される（Ｓ１０９）。
【００４７】
一方、初投入と判断されなかったか（Ｓ１０７：ＮＯ）、あるいは受信時刻が９時３０分よりも遅かった場合には（Ｓ１０８：ＮＯ）、初遊技の集計対象であるか否か判断される（Ｓ１１８）。初遊技の集計対象と判断できた場合には（Ｓ１１８：ＹＥＳ）、図４を参照して後述する金種データ中の「初遊技」の集計対象となり、そのときの受付カウンタの計数値に当たる金種の受付数が１回加算される（Ｓ１１９）。
【００４８】
なお、初投入であるか初遊技であるかに関わらず、受信された貨幣受付信号は、後述する金種データ中の「全遊技」の集計対象となっており、そのときの受付カウンタの計数値に当たる金種の受付数が１回加算される（Ｓ１１０）。そして、「全遊技」の受付数の更新後に、受付カウンタがゼロリセットされる（Ｓ１１１）。
【００４９】
このような金種データ作成処理により作成される金種データについて、図４を参照して説明する。金種データでは、金種毎の受付数が機種毎に集計されている。さらに、受付数としては、「初投入」欄に示すごとく前記初投入に係る金種の受付数、「初遊技」欄に示すごとく前記初遊技に係る金種の受付数、及び「全遊技」欄に示すごとく全ての遊技に係る金種の受付数がある。各欄の右列の「割」欄には、該当する金種の割合が示されている。なお、その日初めての遊技で投入された貨幣に基づく金種データが最も信頼性が高いと推測できるので、データの信頼性が高い順に「初投入」→「初遊技」→「全遊技」の順番になる。
【００５０】
図４の金種データに基づけば、以下のような判断が可能となる。千円札の割合が低く一万円札の割合が高い機種ほど、遊技者の出玉に対する期待感が高いと推測できる。同図の金種データの例であれば、「初投入」、「初遊技」、「全遊技」の何れについても機種Ａの方が機種Ｂよりも一万円札の割合が高く千円札の割合が低いため、機種Ａの方が遊技者の出玉に対する期待感が高いことが推測される。
【００５１】
以上のように、本例の遊技場用管理システム１は、遊技者が期待する出玉の程度を機種毎に把握することができる優れた管理システムである。
なお、本例では、会員カードを利用して初遊技を判定した例であるが、遊技機２毎に設けたカメラによって撮影された遊技者の顔画像を生体情報として利用して初遊技を判定することもできる。
また、本例では、投入可能な貨幣として紙幣を設定した例であるが、１００円硬貨や５００円硬貨などを含めても良い。
【００５２】
また、本例の金種データでは、「初投入」の集計対象を除いて「初遊技」の金種データを集計しているが、これに代えて、「初遊技」の集計対象に「初投入」の集計対象を含めることも良い。
また、本例の機種毎の金種データに加えて、機種毎の平均売上を出力することも有効である。平均売上に基づけば機種毎の人気や射倖性を推測できる。これに加えて、金種毎の受付数から遊技者の出玉に対する期待度を推測すれば、より一層きめ細かに機種毎の遊技者の期待度を把握できるようになる。例えば、図４に例示されるごとく、平均売上がほぼ同じレベルの機種Ａ、Ｂについて、遊技者の出玉に対する期待度の違いを適切に把握できれば、より適切な出玉調整を実行できるようになる。
【００５３】
なお、本例では、貨幣を受け付けると千円につき１パルスを出力する貸出装置３を採用した例であるが、これに代えて、金種を表す金種信号を出力する貸出装置であっても良い。
さらに、管理対象とする遊技機はパチスロ等どのような遊技機であっても良く、対象となる遊技媒体もメダル等の遊技媒体であっても良い。
【００５４】
以上のごとく本発明の実施例を詳細に説明したが、これらの実施例は、特許請求の範囲に包含される技術の一例を開示しているにすぎない。言うまでもなく、実施例の構成や数値等によって、特許請求の範囲が限定的に解釈されるべきではない。特許請求の範囲は、公知技術や当業者の知識等を利用して実施例を多様に変形あるいは変更した技術を包含している。
【符号の説明】
【００５５】
１  遊技場用管理システム
１０  管理装置
１１  制御部
１１１  判別手段
１１２  貨幣集計手段
１２  記憶部
１３  送受信部
１３１  受信手段
１５  出力部
１５１  集計データ出力手段
２  遊技機
３  貸出装置
３１  貨幣受付部
３１０  貨幣投入口
３１１  クレジット表示部
３３  カード受付部
３６１  貨幣検知部（貨幣検知手段）
３６２  貸出部（貸出手段）
３６３  信号出力部（種別情報出力手段）
４  中継器
【図１】
0005537214.tif 000002
【図２】
0005537214.tif 000003
【図３】
0005537214.tif 000004
【図４】
0005537214.tif 000005